(57)【要約】【課題】  座席部を使用できる形態にしたときでも、収納袋を開閉することのできる歩行補助車を提供することである。【解決手段】  歩行補助車１は、前輪を有する１対の前脚２と、後輪を有する１対の後脚３と、１対の前脚２に回動可能に支持され、起立状態と水平状態とに位置変更可能な回動枠４と、回動枠４の前面側に収納空間を形成するように、回動枠４に取り付けられた物品収納袋５と、回動枠４の背面側に位置するように、回動枠４に取り付けられた座板６とを備える。座板６は、物品収納袋５の背面の一部を形成し、かつ収納空間を閉鎖する位置と、開放する位置との間を変位可能に設けられている。【選択図】      図７
0003104105.tif 000002
【実用新案登録請求の範囲】
【請求項１】
前輪を有する１対の前脚と、
後輪を有する１対の後脚と、
前記１対の前脚に回動可能に支持され、起立状態と水平状態とに位置変更可能な回動枠と、
前記回動枠の前面側に収納空間を形成するように、回動枠に取り付けられた物品収納袋と、
前記回動枠の背面側に位置するように、回動枠に取り付けられた座板とを備え、
前記座板は、前記物品収納袋の背面の一部を形成し、かつ前記収納空間を閉鎖する位置と、開放する位置との間を変位可能に設けられている、歩行補助車。
【請求項２】
前記物品収納袋は、その前面側に前記収納空間を開閉するための開閉手段を備えている、請求項１に記載の歩行補助車。
【請求項３】
前記１対の前脚と前記１対の後脚とを連結するように前後方向に延びる１対のリンク機構を備え、
前記各リンク機構は、その前方部分が前記前脚に回動可能に連結された前リンク部材と、その前方部分が前記前リンク部材の後方部分に回動可能に連結され、その後方部分が前記後脚に回動可能に連結された後リンク部材とを含み、
当該歩行補助車の折畳み状態においては、前記前脚と前記後脚とが互いに近づいている、請求項２に記載の歩行補助車。
【考案の詳細な説明】
【技術分野】
【０００１】
この考案は、ショッピング用の手押し車を兼ねた歩行補助車に関するものである。
【背景技術】
【０００２】
この種の歩行補助車は、主に老人が使用するものであり、車体フレームと、物品を収納するための収納袋と、疲れたときに座ることのできる座板とを備えている。
【０００３】
特開２００１−４６４５２号公報（特許文献１）は、老人者的形態を有しない歩行補助車を開示している。この公報に開示された歩行補助車は、上端にハンドルを下端に前輪を有する左右１対の前脚杆と、この前脚杆に連結されると共に、下端に後輪を有する左右１対の後脚杆と、左右の前脚杆にわたり起倒自在に取り付けられた枠杆とを備える。枠杆は、その前面に袋部を着脱自在に取り付け、その後面に座席部を有している。
【０００４】
上記公報に開示された歩行補助車においては、ショッピング用の手押し車として使用するとき、枠杆は起立状態に保持され、袋部が枠杆の前方に位置するようにされる。袋部の前面部分には、収納空間を開閉するための開閉部材が設けられているので、必要に応じて袋部の前面部分を開いて物品を内部の収納空間に入れることができる。
【０００５】
例えば、歩行補助車を押している老人が疲れてきたときには、枠杆を水平状態に保持し、座席部が枠杆の後部で水平に位置するようにする。この状態では、袋部は、枠杆の下に位置している。老人は、水平状態になった座席部上に腰掛けて休憩することができる。
【特許文献１】特開２００１−４６４５２号公報（図１、図５、図６）
【考案の開示】
【考案が解決しようとする課題】
【０００６】
特開２００１−４６４５２号公報に開示された歩行補助車の場合、座席部を使うために枠杆を水平状態に保持すると、袋部の収納空間開閉部材が座席部の下に位置するようになるので、袋部を開くことができなくなる。このように座席部を使用できる形態にしたとき、袋部の開閉ができなくなるのは、使用者である老人にとって不便である。
【０００７】
この考案の目的は、座席部を使用できる形態にしたときでも、収納袋を開閉することのできる歩行補助車を提供することである。
【課題を解決するための手段】
【０００８】
この考案に従った歩行補助車は、前輪を有する１対の前脚と、後輪を有する１対の後脚と、１対の前脚に回動可能に支持され、起立状態と水平状態とに位置変更可能な回動枠と、回動枠の前面側に収納空間を形成するように、回動枠に取り付けられた物品収納袋と、回動枠の背面側に位置するように、回動枠に取り付けられた座板とを備える。座板は、物品収納袋の背面の一部を形成し、かつ収納空間を閉鎖する位置と、開放する位置との間を変位可能に設けられている。
【０００９】
上記構成の歩行補助車によれば、座板が物品収納袋の収納空間開閉部材を兼ねているので、座板を水平にして使用できる形態にしたときでも、座板を動かして収納空間を開放することができる。
【００１０】
物品収納袋は、好ましくは、その前面側に収納空間を開閉するための開閉手段を備えている。このようにすれば、回動枠を起立させてショッピング用の手押し車の形態にしたとき、収納空間を簡単に開放することができる。
【００１１】
歩行補助車をコンパクトに折畳めるようにするために、好ましくは、歩行補助車は、１対の前脚と１対の後脚とを連結するように前後方向に延びる１対のリンク機構を備える。各リンク機構は、その前方部分が前脚に回動可能に連結された前リンク部材と、その前方部分が前リンク部材の後方部分に回動可能に連結され、その後方部分が後脚に回動可能に連結された後リンク部材とを含む。歩行補助車の折畳み状態においては、前脚と後脚とが互いに近づいている。
【考案を実施するための最良の形態】
【００１２】
図１〜図９は、この考案の一実施形態である歩行補助車を示している。図１〜図３は、座席部を使用できる形態を示し、図４は、ショッピング用の手押し車としての形態を示し、図５は、折畳まれている形態を示している。また、図６〜図９は、種々の形態の図解的側面図である。
【００１３】
歩行補助車１は、下端に前輪を有する１対の前脚２と、下端に後輪を有し軸３１を介して１対の前脚２に回動可能に連結された１対の後脚３と、軸３２を介して１対の前脚２に回動可能に支持された回動枠４と、１対の前脚２と１対の後脚３とを連結するように前後方向に延びる１対のリンク機構２０とを備える。
【００１４】
図１に示すように、１対の前脚２の上方端はハンドル部材７によって連結されている。ハンドル部材７に沿って位置するブレーキ操作部材８を操作することにより、後輪に対してブレーキをかけることが可能である。後脚連結部材９は１対の後脚３の上方部分を連結し、前脚連結部材１０は、１対の前脚２の中間部分を連結している。また、前輪連結部材１１は、１対の前輪キャスタを連結している。
【００１５】
回動枠４には、物品を収納するための物品収納袋５が取り付けられている。物品収納袋５は、回動枠４の前面側に収納空間を形成する。回動枠４は、図４および図８に示す起立状態と、図１、図２および図６に示す水平状態とに位置変更可能である。
【００１６】
各リンク機構２０は、その前方部分が軸３２を介して前脚２に回動可能に連結された前リンク部材２１と、その前方部分が軸３４を介して前リンク部材２１の後方部分に回動可能に連結され、その後方部分が軸３３を介して後脚３に回動可能に連結された後リンク部材２２とを含む。前リンク部材２１と後リンク部材２２とは、図６に示す直線状態および図９に示す屈曲状態において互いに係合してそれらの位置関係を固定するロック手段を有している。開閉状態ロック解除レバー２４は、前リンク部材２１と後リンク部材２２との係合状態を解除するためのものである。
【００１７】
図９に示すように、歩行補助車の折畳み状態においては、前リンク部材２１と後リンク部材２２とが下方に屈曲し、前脚２と後脚３とは互いに近づいている。
【００１８】
回動枠４が図１、図２および図６に示す水平状態にあるとき、回動枠４と前リンク部材２１とは係合手段を介して固定される。回動枠ロック解除レバー２３は、回動枠４と前リンク部材２１との係合状態を解除するためのものである。
【００１９】
座板６は、回動枠４の背面側に位置するように、回動枠４に取り付けられている。この座板６は、物品収納袋５の背面の一部を形成し、かつ収納空間を閉鎖する位置（図１、図２、図６）と、収納空間を開放する位置（図３、図７）との間を変位可能に設けられている。
【００２０】
物品収納袋５は、その前面側に収納空間を開閉するための開閉手段４０を備えている。開閉手段４０は、例えば、スライドファスナーである。
【００２１】
次に歩行補助車１の各形態について説明する。
【００２２】
図１、図２および図６は、座板６を使用できる形態を示している。歩行補助車１を操作している老人等は、疲れたときに、座板６上に腰掛けることができる。この状態では、回動枠４は、前リンク部材２１に係合して水平状態の位置で固定されている。物品収納袋５は、回動枠４の下方に位置しているので、その前面に設けられているスライドファスナー４０を使用することができない。
【００２３】
図３および図７は、物品収納袋５の背面の一部を形成する座板６を上方に回動させた形態を示している。座板６をこのように回動させると、内部の収納空間が露出するので、この露出開口から物品を出し入れすることができる。なお、座板６と物品収納袋５とを例えば面ファスナー等の接合手段を介して脱離可能に接合しておくのが好ましい。
【００２４】
図１、図２および図６に示す状態において、回動枠ロック解除レバー２３を操作して回動枠４を回動し得る状態にする。図４および図８は、回動枠４を起立状態にした形態を示している。回動枠４の起立状態は、適当な手段を用いて安定に維持される。例えば、起立状態にある回動枠４と前脚２とを係合状態にして回動枠４の起立状態を維持するようにしてもよいし、前脚連結部材１０と座板６とを係合状態にして回動枠４の起立状態を維持するようにしてもよい。
【００２５】
図４および図８は、ショッピング用の手押し車としての形態である。物品の出し入れは、物品収納袋５の前面に設けられたスライドファスナー４０を開いて行なう。
【００２６】
歩行補助車１を折畳む際には、図４および図８の状態において、開閉状態ロック解除レバー２４を操作してリンク機構２０のロック状態を解除する。図５および図９は歩行補助車１の折畳み状態を示しており、前リンク部材２１と後リンク部材２２とが下方に屈曲し、前脚２と後脚３とが互いに近づいている。
【００２７】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。
【産業上の利用可能性】
【００２８】
この考案は、ショッピング用の手押し車を兼ねた歩行補助車に有利に適用され得る。
【図面の簡単な説明】
【００２９】
【図１】座板を使用できる形態になっている歩行補助車を示す斜視図である。
【図２】座板を使用できる形態になっている歩行補助車を示す側面図である。
【図３】座板を上方に回動させている形態を示す斜視図である。
【図４】ショッピング用の手押し車の形態を示す斜視図である。
【図５】歩行補助車の折畳み状態を示す斜視図である。
【図６】座板を使用できる形態になっている歩行補助車の図解的側面図である。
【図７】座板を上方に回動させた形態の図解的側面図である。
【図８】ショッピング用の手押し車の形態を示す図解的側面図である。
【図９】歩行補助車の折畳み状態を示す図解的側面図である。
【符号の説明】
【００３０】
１  歩行補助車、２  前脚、３  後脚、４  回動枠、５  物品収納袋、６  座板、７  ハンドル部材、８  ブレーキ操作部材、９  後脚連結部材、１０  前脚連結部材、１１  前輪連結部材、２０  リンク機構、２１  前リンク部材、２２  後リンク部材、２３  回動枠ロック解除レバー、２４  開閉状態ロック解除レバー、３１，３２，３３，３４  軸。
【図１】
0003104105.tif 000003
【図２】
0003104105.tif 000004
【図３】
0003104105.tif 000005
【図４】
0003104105.tif 000006
【図５】
0003104105.tif 000007
【図６】
0003104105.tif 000008
【図７】
0003104105.tif 000009
【図８】
0003104105.tif 000010
【図９】
0003104105.tif 000011